(57)【要約】【課題】バット型懐中電灯を提供する。【解決手段】本案のバット型主体中に電池ケース、ランプ主体、スイッチ等の構造を設置し、これらの構造が電気的接続を生成して、ボタンにより電源を制御し、ランプ主体中のランプを操作する。【選択図】図２
0003134001.tif 000002
【実用新案登録請求の範囲】
【請求項１】
バット型懐中電灯であって、主に、バット型主体と、電池ケースと、ランプ主体と、スイッチと、尾蓋と、電極連結装置と、からなり、前記パッド主体は、外観が打撃部、グリップ、及び、それらの間のネック部と、からなり、内部は、縦向け縦方向に貫通したバット型主体両端の容置空間を有し、前記打撃部の開放端はランプ主体結合部を提供し、前記グリップの開放端はスイッチ結合部と尾蓋結合部を提供し、前記電池ケースは、前記バット型主体内に設置され、若干の電池を導電方式で放置し、前記ランプ主体は、環蓋中に固定され、前記環蓋は、前記バット型主体のランプ主体結合部に結合され、前記スイッチは前記バット型主体のスイッチ結合部に結合され、前記尾蓋は前記バット型主体の尾蓋結合部に結合され、前記尾蓋に、前記スイッチに対応する押圧素子を設置して、前記押圧素子はスイッチを操作し、前記電極連接装置は、前記ランプ主体、前記電池、及び、前記スイッチの電極を連結することを特徴とするバット型懐中電灯。
【請求項２】
前記バット型主体はアルミ金属からなることを特徴とする請求項１に記載のバット型懐中電灯。
【請求項３】
前記容置空間は第一容置空間と第二容置空間に区分されることを特徴とする請求項１に記載のバット型懐中電灯。
【請求項４】
前記第二容置空間の開放端は前記スイッチ結合部を提供し、前記スイッチと前記スイッチ結合部は螺紋により結合されることを特徴とする請求項３に記載のバット型懐中電灯。
【請求項５】
前記電池ケースは空心の長筒構造で、電池容置部と固定部を有し、前記電池容置部は第一容置空間に設置され、前記固定部は前記第二容置空間内に穿設されることを特徴とする請求項３に記載のバット型懐中電灯。
【請求項６】
前記電池ケースはプラスチック製であることを特徴とする請求項５に記載のバット型懐中電灯。
【請求項７】
前記第一容置空間中、更に、緩衝パッドを有して、前記電池容置部を保護することを特徴とする請求項６に記載のバット型懐中電灯。
【請求項８】
前記尾蓋と前記尾蓋結合部は凸環、環槽により互いに嵌合されることを特徴とする請求項１に記載のバット型懐中電灯。
【請求項９】
前記環蓋と前記ランプ主体結合部は螺紋により結合されることを特徴とする請求項１に記載のバット型懐中電灯。
【考案の詳細な説明】
【技術分野】
【０００１】
本考案は懐中電灯に関し、バット型の懐中電灯に関するものである。
【背景技術】
【０００２】
一般の懐中電灯の構造は、その外観から三領域に区分され、それぞれ、ランプ部分、本体部分、及び、後蓋部分である。上述の三大部分の組み合わせは、公知技術では、螺紋、及び、対合嵌接である。
【０００３】
携帯を便利にするため、懐中電灯の造型は小型化する趨勢にあり、且つ、重量を軽くするため、その外殻は多くがプラスチック材料を採用する。しかし、小型化は上述の三大部分の接合を困難にし、精密な製造ができなくなり、組み立て不順の問題が生じる。プラスチック材料は、螺紋接合箇所が反復動作により緩んで摩損し、対合嵌接箇所は施力や相対位置の不当により、断裂や破損が生じ、これらの構造損害は、接合不穏を生じるだけでなく、懐中電灯の使用寿命も短縮する。また、小型化懐中電灯は携帯に便利であるが、手部の接触面積が小さく、使用者が安定して握持することができない。
【考案の開示】
【考案が解決しようとする課題】
【０００４】
本考案は、バット型造型の懐中電灯を提供し、バット型主体はバットの尺寸に基づいて製造され、使用者が握持使用するのに便利にすることを目的とする。
【０００５】
本考案は、バット型造型の懐中電灯を提供し、本案のバット型主体、及び、環蓋はアルミ製で、螺紋接合箇所が反復使用によりすぐに摩損されることがないようにすることをもう一つの目的とする。
【課題を解決するための手段】
【０００６】
本考案のバット型造型の懐中電灯は、使用者が片手で握持することができ、照明しながら、所定の長さのバット型主体を動かし、且つ、バット型主体前端の作用位置が照明位置であり、使用者はバット端部作用領域の周辺環境を把握することができる。また、環蓋を開けるのは、連接されている主体と一緒にバット型主体を脱離させ、電池ケース中から電池を出し入れする。よって、環蓋は、本案の懐中電灯中の唯一の反復して着脱する構造であり、公知のプラスチック外殻の懐中電灯と比べると、本案のバット型主体、及び、環蓋はアルミ製で、螺紋接合箇所は反復使用によりすぐに摩損されることがない。
【考案の効果】
【０００７】
本考案は公知の接合不穏や懐中電灯の使用寿命が短いという問題を改善し、本案の構造により、使用者が安定して握持することができる。
【考案を実施するための最良の形態】
【０００８】
図１〜図３で示されるように、本案のアルミ製のバット型主体１０は、外観が、実際のバットに類似した打撃部１１、グリップ１２、及び、打撃部１１とグリップ１２間のネック１３、からなる。内部は、縦方向に貫通したバット型主体１０両端の容置空間１４を有し、容置空間１４は第一容置空間１４１と第二容置空間１４２、からなる。第一容置空間１４は打撃部１１とネック部１３に対応し、第二容置空間１４２はグリップ１２に対応する。打撃部１１の開放端はランプ主体結合部１５を提供する。第二容置空間１４２の開放端は、スイッチ結合部１６を提供する。グリップ１２の開放端は尾蓋結合部１７を提供する。
【０００９】
電池ケース２０は、バット型主体１０内に設置され、プラスチック製の空心長筒構造で、電池容置部２１、及び、固定部２２を有する。電池容置部２１は第一容置空間１４１に設置され、固定部２２は第二容置空間１４２に穿設される。電池容置部２１は若干の電池２３を導電方式で放置する。第一容置空間１４１中は、更に、緩衝パッド１８を有し、電池容置部２１を被覆して保護する。
【００１０】
ランプ主体３０は、主に、透光板３１、強化マスク３２、ランプ３３、導電座３４、からなる。強化マスク３２の一端は透光板３１と結合し、ランプ３３は取り外し可能な形式で導電座３４中に結合され、導電座３４は強化マスク３２に結合され、更に、ランプ３３は強化マスク３２中に定位する。透光板３１、及び、強化マスク３２の結合体はアルミ性の環蓋３５中に固定され、環体３５は更に、バット型主体１０のランプ主体結合部１５に結合される。本実施例中、環蓋３５とランプ主体結合部１５は螺紋結合である。
【００１１】
スイッチ４０はバット型主体１０のスイッチ結合部１６に結合される。本実施例中、スイッチ４０とスイッチ結合部１６は螺紋で相互に結合される。
【００１２】
尾蓋５０はバット型主体１０の尾蓋結合部１７に結合される。本実施例中、尾蓋５０と尾蓋結合部１７は凸環５１、環槽１７１により相互に嵌合される。尾蓋５０上に、スイッチ４０に対応する軟性の押圧素子５２を設置して、押圧素子５２はスイッチ４０を操作する。
【００１３】
ランプ主体３０の導電座３４、電池２３、及び、スイッチ４０の電極連結の装置は、スイッチ４０により回路を制御し、ランプ３３を操作する。これらの装置は、公知の懐中電灯の回路システムを転用する。
【００１４】
図４は、本案の懐中電灯の使用状態を示す図である。使用者は片手で主体１０のグリップ１２を握持し、尾蓋５０上の押圧素子５２を押圧すると、ランプが点灯する。図４中、バット型主体１０のグリップ１２はテープ１２１を纏繞している。
【００１５】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１６】
【図１】本考案の外観図である。
【図２】本考案の断面図である。
【図３】本考案の分解断面図である。
【図４】本考案の使用状態図である。
【符号の説明】
【００１７】
１０    バット型主体
１１    打撃部
１２    グリップ
１２１  テープ
１３    ネック
１４    容置空間
１４１  第一容置空間
１４２  第二容置空間
１５    ランプ主体結合部
１６    スイッチ結合部
１７    尾蓋結合部
１７１  環槽
１８    緩衝パッド
２０    電池ケース
２１    電池容置部
２２    固定部
２３    電池
３０    ランプ主体
３１    透光板
３２    強化マスク
３３    ランプ
３４    導電座
３５    環蓋
４０    スイッチ
５０    尾蓋
５１    凸環
５２    押圧素子
【図１】
0003134001.tif 000003
【図２】
0003134001.tif 000004
【図３】
0003134001.tif 000005
【図４】
0003134001.tif 000006
【手続補正書】
【提出日】平成19年6月4日(2007.6.4)
【手続補正１】
【補正対象書類名】実用新案登録請求の範囲
【補正対象項目名】請求項４
【補正方法】変更
【補正の内容】
【請求項４】
前記第二容置空間の開放端は前記スイッチ結合部を提供し、前記スイッチと前記スイッチ結合部はネジにより結合されることを特徴とする請求項３に記載のバット型懐中電灯。
【手続補正２】
【補正対象書類名】実用新案登録請求の範囲
【補正対象項目名】請求項９
【補正方法】変更
【補正の内容】
【請求項９】
前記環蓋と前記ランプ主体結合部はネジにより結合されることを特徴とする請求項１に記載のバット型懐中電灯。
【手続補正３】
【補正対象書類名】明細書
【補正対象項目名】０００２
【補正方法】変更
【補正の内容】
【０００２】
一般の懐中電灯の構造は、その外観から三領域に区分され、それぞれ、ランプ部分、本体部分、及び、後蓋部分である。上述の三大部分の組み合わせは、公知技術では、ネジ、及び、対合嵌接である。
【手続補正４】
【補正対象書類名】明細書
【補正対象項目名】０００５
【補正方法】変更
【補正の内容】
【０００５】
本考案は、バット型造型の懐中電灯を提供し、本案のバット型主体、及び、環蓋はアルミ製で、ネジ接合箇所が反復使用によりすぐに摩損されることがないようにすることをもう一つの目的とする。
【手続補正５】
【補正対象書類名】明細書
【補正対象項目名】０００６
【補正方法】変更
【補正の内容】
【０００６】
本考案のバット型造型の懐中電灯は、使用者が片手で握持することができ、照明しながら、所定の長さのバット型主体を動かし、且つ、バット型主体前端の作用位置が照明位置であり、使用者はバット端部作用領域の周辺環境を把握することができる。また、環蓋を開けるのは、連接されている主体と一緒にバット型主体を脱離させ、電池ケース中から電池を出し入れする。よって、環蓋は、本案の懐中電灯中の唯一の反復して着脱する構造であり、公知のプラスチック外殻の懐中電灯と比べると、本案のバット型主体、及び、環蓋はアルミ製で、ネジ接合箇所は反復使用によりすぐに摩損されることがない。
【手続補正６】
【補正対象書類名】明細書
【補正対象項目名】００１０
【補正方法】変更
【補正の内容】
【００１０】
ランプ主体３０は、主に、透光板３１、強化マスク３２、ランプ３３、導電座３４、からなる。強化マスク３２の一端は透光板３１と結合し、ランプ３３は取り外し可能な形式で導電座３４中に結合され、導電座３４は強化マスク３２に結合され、更に、ランプ３３は強化マスク３２中に定位する。透光板３１、及び、強化マスク３２の結合体はアルミ性の環蓋３５中に固定され、環体３５は更に、バット型主体１０のランプ主体結合部１５に結合される。本実施例中、環蓋３５とランプ主体結合部１５はネジ結合である。
【手続補正７】
【補正対象書類名】明細書
【補正対象項目名】００１１
【補正方法】変更
【補正の内容】
【００１１】
スイッチ４０はバット型主体１０のスイッチ結合部１６に結合される。本実施例中、スイッチ４０とスイッチ結合部１６はネジで相互に結合される。